(57)【要約】【課題】衣類処理剤に関する複数の情報を容易に確認することができ、使い勝手の向上を図ることができる衣類処理装置を提供する。【解決手段】本実施形態に係る衣類処理装置は、衣類を収容する衣類処理槽と、衣類を処理する衣類処理剤を前記衣類処理槽内に投入する自動投入部と、各種の画面を表示する表示部と、前記表示部への画面の表示を制御する制御部と、を備え、前記制御部は、前記表示部に表示する１つの画面に、前記衣類処理剤に関する複数の情報を含ませる。【選択図】図４
2020179154.tif 000002
【特許請求の範囲】
【請求項１】
衣類を収容する衣類処理槽と、
衣類を処理する衣類処理剤を前記衣類処理槽内に投入する自動投入部と、
各種の画面を表示する表示部と、
前記表示部への画面の表示を制御する制御部と、
を備え、
前記制御部は、前記表示部に表示する１つの画面に、前記衣類処理剤に関する複数の情報を含ませる衣類処理装置。
【請求項２】
前記制御部は、前記表示部に表示する１つの画面に、前記衣類処理剤の現在の状況を示す情報を含ませる請求項１に記載の衣類処理装置。
【請求項３】
前記衣類処理槽内への前記衣類処理剤の基準投入量を設定する基準投入量設定部と、
前記衣類処理槽内への前記衣類処理剤の投入量を調整する投入量調整部と、
を備え、
前記制御部は、前記基準投入量設定部により前記基準投入量が設定されていない場合には、前記投入量調整部による前記投入量の調整処理を実行不可とする請求項１または２に記載の衣類処理装置。
【請求項４】
前記投入量調整部により調整された前記衣類処理剤の投入量を記憶する投入量記憶部をさらに備え、
前記制御部は、前記投入量記憶部による前記投入量の記憶処理を実行する記憶処理実行モードと、当該記憶処理を実行しない記憶処理不実行モードと、を選択可能に構成されている請求項３に記載の衣類処理装置。
【請求項５】
前記衣類処理槽内に発生する泡を検知する泡検知部を備え、
前記制御部は、前記泡検知部によって泡が検知された場合には、前記衣類処理槽内への前記衣類処理剤の基準投入量を変更することを促す情報を前記表示部に表示する請求項１から４の何れか１項に記載の衣類処理装置。
【請求項６】
前記自動投入部は、複数種類の前記衣類処理剤を前記衣類処理槽内に投入可能であり、
前記制御部は、前記表示部に表示する１つの画面に、複数種類の前記衣類処理剤に関する情報を含ませる請求項１から５の何れか１項に記載の衣類処理装置。
【請求項７】
前記自動投入部は、複数種類の前記衣類処理剤を前記衣類処理槽内に投入可能であり、
前記制御部は、複数種類の前記衣類処理剤のうち少なくとも何れか１つの衣類処理剤の投入量が変更された場合には、他の衣類処理剤の投入量を変更することを促す情報を前記表示部に表示する請求項１から６の何れか１項に記載の衣類処理装置。
【発明の詳細な説明】
【技術分野】
【０００１】
本発明の実施形態は、衣類処理装置に関する。
【背景技術】
【０００２】
近年、衣類に所定の処理を施す衣類処理装置の一例である洗濯機においては、使用者の利便性向上の要望に応えるため、洗剤や柔軟剤などの衣類処理剤を自動投入用のタンク内に予め複数回分貯留しておき、洗濯運転中に必要量をタンクから自動的に水槽内へ投入する自動投入部を備えた構成が開発されている（例えば、特許文献１参照）。
【先行技術文献】
【特許文献】
【０００３】
【特許文献１】特開２０１８−１１６１８号公報
【発明の概要】
【発明が解決しようとする課題】
【０００４】
ところで、従来の構成では、衣類処理剤に関する複数の情報、例えば、衣類処理剤の基準投入量に関する情報や、多め、少なめ、標準などといった投入量の調整に関する情報などの複数の情報が、それぞれ異なる画面に表示されるようになっている。そのため、使用者は、表示部に表示される画面を適宜遷移させなければ、衣類処理剤に関する知りたい情報を確認することができない。さらに、複数種類の衣類処理剤を投入可能な構成においては、それぞれの衣類処理剤に関する複数の情報が、それぞれ異なる画面に表示されることになる。そのため、知りたい情報を含む画面に遷移させるための操作が一層煩雑となり、使い勝手が一層悪くなる。
【０００５】
そこで、衣類処理剤に関する複数の情報を容易に確認することができ、使い勝手の向上を図ることができる衣類処理装置を提供する。
【課題を解決するための手段】
【０００６】
本実施形態の衣類処理装置は、衣類を収容する衣類処理槽と、衣類を処理する衣類処理剤を前記衣類処理槽内に投入する自動投入部と、各種の画面を表示する表示部と、前記表示部への画面の表示を制御する制御部と、を備え、前記制御部は、前記表示部に表示する１つの画面に、前記衣類処理剤に関する複数の情報を含ませる。
【図面の簡単な説明】
【０００７】
【図１】第１実施形態に係る洗濯機の構成例を概略的に示す縦断側面図
【図２】第１実施形態に係る給水部の構成例を概略的に示す図
【図３】第１実施形態に係る洗濯機の制御系の構成例を概略的に示すブロック図
【図４】第１実施形態に係る自動投入設定画面の一例を概略的に示す図
【図５】第１実施形態に係るトップ画面の一例を概略的に示す図
【図６】第１実施形態に係る基準量設定画面の一例を概略的に示す図
【図７】第２実施形態に係る自動投入設定画面の一例を概略的に示す図
【図８】第３実施形態に係る自動投入設定画面の一例を概略的に示す図
【図９】第４実施形態に係る洗濯機の制御系の構成例を概略的に示すブロック図
【図１０】第４実施形態に係る自動投入設定画面の一例を概略的に示す図
【図１１】第５実施形態に係る洗濯機の制御系の構成例を概略的に示すブロック図
【図１２】第５実施形態に係る自動投入設定画面の一例を概略的に示す図
【図１３】第６実施形態に係る自動投入設定画面の一例を概略的に示す図
【図１４】第７実施形態に係る自動投入設定画面の一例を概略的に示す図（その１）
【図１５】第７実施形態に係る自動投入設定画面の一例を概略的に示す図（その２）
【図１６】第７実施形態に係る自動投入設定画面の一例を概略的に示す図（その３）
【図１７】変形実施形態に係る自動投入設定画面の一例を概略的に示す図（その１）
【図１８】変形実施形態に係る自動投入設定画面の一例を概略的に示す図（その２）
【発明を実施するための形態】
【０００８】
以下、衣類処理装置に係る複数の実施形態について図面を参照して説明する。なお、複数の実施形態において実質的に同一の構成については、同一の符号を付してその説明を省略する。
【０００９】
（第１実施形態）
図１に例示する洗濯機１は、衣類に所定の処理、この場合、少なくとも、洗い処理、すすぎ処理、脱水処理を施すことが可能な衣類処理装置の一例である。また、洗濯機１は、回転槽の回転中心軸が水平方向あるいは水平方向に対して傾斜する方向に延びる、いわゆるドラム式の洗濯機である。
【００１０】
洗濯機１は、その外郭を構成する矩形箱状の筐体２の内部に、衣類を洗浄するための洗浄槽３を備えている。洗浄槽３は、衣類処理槽の一例であり、有底円筒状の水槽の内部に、同じく有底円筒状のドラムを回転可能に備えた構成である。ドラムの周壁には多数の小孔が設けられており、また、ドラムの内周面には、衣類をかき上げるためのバッフルが設けられている。洗浄槽３の前面開口部は、筐体２の前面に設けられたドア５によって開閉可能となっている。使用者は、ドア５を開くことにより、洗浄槽３の前面開口部を通して当該洗浄槽３内に衣類を出し入れすることができる。
【００１１】
また、洗濯機１は、洗浄槽３内に水を供給するための給水部４、および、洗浄槽３内の水を機外に排水するための図示しない排水部を備えている。給水部４は、例えば水道などの図示しない水源から洗浄槽３に延びる給水経路の途中に給水弁１０などを備えた構成となっている。また、排水部は、洗浄槽３の底部から機外に延びる排水経路の途中に排水弁などを備えた構成となっている。
【００１２】
図２に例示するように、給水部４は、図示しない水源から洗浄槽３に延びる給水経路の途中に、給水弁１０、自動投入部１１、注水ケース１２などを備えた構成となっている。給水弁１０の入口は、例えば水道などの図示しない水源に接続されている。また、給水弁１０は、少なくとも２つの出口を有しており、第１出口は、自動投入用経路１３ａを介して注水ケース１２に接続され、第２出口は、手動投入用経路１３ｂを介して注水ケース１２に接続されている。注水ケース１２の出口は、給水ホース１４を介して洗浄槽３に接続されている。
【００１３】
自動投入部１１は、洗剤タンク１５および柔軟剤タンク１６を備えている。洗剤タンク１５および柔軟剤タンク１６は、給水部４に対し着脱可能に備えられている。洗剤タンク１５内には、運転複数回分の衣類処理剤、この場合、洗浄槽３内の衣類を洗浄するための洗剤を貯留可能となっている。柔軟剤タンク１６内には、運転複数回分の衣類処理剤、この場合、洗浄槽３内の衣類に柔軟処理を施すための柔軟剤を貯留可能となっている。
【００１４】
洗剤タンク１５は、洗剤用計量ポンプ１７を介して自動投入用経路１３ａに接続されている。洗剤用計量ポンプ１７は、例えば、モータやソレノイドなどのアクチュエータによってピストンを駆動することにより液体を吸引して送出する構成となっている。洗剤用計量ポンプ１７は、洗剤タンク１５内から所定量、この場合、１回の運転に使用する量の洗剤を吸引し、その吸引した洗剤を自動投入用経路１３ａ内に送出する。そして、自動投入用経路１３ａ内に送出された洗剤は、給水弁１０から供給される水とともに注水ケース１２内に導入される。そして、注水ケース１２内に導入された洗剤は、同じく注水ケース１２内に導入された水とともに給水ホース１４を介して洗浄槽３内に供給される。これにより、洗剤タンク１５内から洗浄槽３内に洗剤が自動的に投入される。なお、洗剤用計量ポンプ１７は、液体を吸引するものに限られず、例えば、液体を押し出すものであってもよい。
【００１５】
柔軟剤タンク１６は、柔軟剤用計量ポンプ１８を介して自動投入用経路１３ａに接続されている。柔軟剤用計量ポンプ１８は、例えば、モータやソレノイドなどのアクチュエータによってピストンを駆動することにより液体を吸引して送出する構成となっている。柔軟剤用計量ポンプ１８は、柔軟剤タンク１６内から所定量、この場合、１回の運転に使用する量の柔軟剤を吸引し、その吸引した柔軟剤を自動投入用経路１３ａ内に送出する。そして、自動投入用経路１３ａ内に送出された柔軟剤は、給水弁１０から供給される水とともに注水ケース１２内に導入される。そして、注水ケース１２内に導入された柔軟剤は、同じく注水ケース１２内に導入された水とともに給水ホース１４を介して洗浄槽３内に供給される。これにより、柔軟剤タンク１６内から洗浄槽３内に柔軟剤が自動的に投入される。なお、柔軟剤用計量ポンプ１８は、液体を吸引するものに限られず、例えば、液体を押し出すものであってもよい。
【００１６】
また、注水ケース１２内には、図示しない手動投入用ケースが出し入れ可能に収容されている。手動投入用ケース内には、使用者の手動によって洗剤が投入される手動洗剤投入部、および、使用者の手動によって柔軟剤が投入される手動柔軟剤投入部が設けられている。手動洗剤投入部に投入されている洗剤、あるいは、手動柔軟剤投入部に投入されている柔軟剤は、給水弁１０から手動投入用経路１３ｂを介して注水ケース１２内に注水される水とともに給水ホース１４を介して洗浄槽３内に供給される。
【００１７】
以上のように構成される洗濯機１は、図１に例示するように、さらに表示器４０を備えている。表示器４０は、表示部の一例であり、この場合、洗濯機１の筐体２の前面の上部、より詳細には、ドア５の上部に設けられている。表示器４０は、例えば液晶ディスプレイを備えており、洗濯機１の運転に関する各種の情報が含まれた各種の画面を表示する。また、表示器４０は、洗濯機１の運転に関する各種の操作を受け付けるための操作キー、いわゆるタッチキーが含まれた各種の画面を表示する。使用者は、表示器４０が表示する画面に含まれる各種の操作キーをタッチ操作することにより、洗濯機１の運転に関する各種の操作を行うことができる。
【００１８】
なお、表示器４０を構成するタッチパネルとしては、例えば、使用者の手指が触れた際に発生する静電容量の変化をセンサで感知する静電容量方式のタッチパネルを適用することができる。また、表示器４０を構成するタッチパネルとしては、静電容量方式のタッチパネルに限らず、例えば、抵抗膜方式のタッチパネルなどの各種の方式のタッチパネルを適用することができる。また、表示器４０は、液晶ディスプレイにより構成されるものに限らず、例えば、有機ＥＬディスプレイなどの各種の表示装置を適用することができる。
【００１９】
図３に例示するように、表示器４０への各種の画面の表示は、制御装置５０によって制御される。制御装置５０は、制御部の一例である。制御装置５０は、例えば、マイクロコンピュータを主体として構成されており、制御プログラムや各種の設定情報に基づいて洗濯機１の動作全般を制御する。なお、制御装置５０には、表示器４０だけでなく、例えば、上述した給水弁１０、洗剤用計量ポンプ１７、柔軟剤用計量ポンプ１８、図示しない排水弁、図示しないドラム回転モータなどの各種の駆動系の構成要素が接続されている。
【００２０】
また、制御装置５０は、制御プログラムを実行することにより、基準投入量設定部５１および投入量調整部５２をソフトウェアにより仮想的に実現している。なお、基準投入量設定部５１および投入量調整部５２は、ハードウェアにより実現してもよし、ソフトウェアとハードウェアの組み合わせにより実現してもよい。基準投入量設定部５１は、後述する基準量設定画面２００における使用者の操作に応じて、洗浄槽３内への洗剤あるいは柔軟剤の基準投入量を設定する基準投入量設定処理を実行可能である。投入量調整部５２は、後述する自動投入設定画面１００における使用者の操作に応じて、洗浄槽３内への洗剤あるいは柔軟剤の投入量を調整する投入量調整処理を実行可能である。
【００２１】
本実施形態に係る洗濯機１は、表示器４０に表示する１つの特別画面に、衣類処理剤に関する複数の情報を含ませるようになっている。また、洗濯機１は、表示器４０に表示する１つの特別画面に、複数種類の衣類処理剤、この場合、洗剤および柔軟剤の２種類の衣類処理剤に関する複数の情報を含ませるようになっている。次に、このような特別画面の例について説明する。
【００２２】
図４に例示する自動投入設定画面１００は、特別画面の一例である。この自動投入設定画面１００は、図５に例示するトップ画面ＴＧに設けられている自動投入設定キー３２が操作されると表示器４０に表示される画面である。ここで、自動投入設定画面１００の詳細な説明に入る前に、トップ画面ＴＧの概要について説明する。
【００２３】
トップ画面ＴＧは、洗濯機１への電源が投入されると表示器４０に表示される画面である。トップ画面ＴＧには、ヘッダー部２１が設けられている。ヘッダー部２１には、現在選択されている運転の名称、時刻、ドアロックの実施有無、外部の機器との間で行われる無線通信に関する電波状態など、各種のステータスが常時固定表示される。
【００２４】
また、トップ画面ＴＧの上下方向の中央部には、洗濯運転を選択するための操作キーである洗濯運転アイコン２２、洗濯乾燥運転を選択するための操作キーである洗濯乾燥運転アイコン２３、および、乾燥運転を選択するための操作キーである乾燥運転アイコン２４が配置されている。制御装置５０は、選択されているアイコン、この場合、洗濯運転アイコン２２を、選択されていないアイコン、この場合、洗濯乾燥運転アイコン２３および乾燥運転アイコン２４に比べて大きく表示するようになっている。また、制御装置５０は、選択されているアイコン、この場合、洗濯運転アイコン２２については、その洗濯運転について現在選択されているコースの名称、この場合、標準コースという名称、および、そのコースに対応した衣類を示すアイコン、この場合、Ｔシャツを模式的に表すようなアイコンを含む表示態様に切り換えるようになっている。
【００２５】
また、トップ画面ＴＧには、フッター部２５が設けられている。フッター部２５には、設定キー２６、照明オンオフキー２７、温水設定キー２８、予約設定キー２９、コース選択キー３０、スタートキー３１が横方向に一列に並ぶように配置されている。また、フッター部２５には、自動投入設定キー３２が設けられている。この場合、自動投入設定キー３２は、照明オンオフキー２７と温水設定キー２８との間に設けられている。
【００２６】
設定キー２６は、洗濯機１に関わる各種の設定を行うための操作キーである。照明オンオフキー２７は、洗浄槽３内を照明する図示しない照明装置を制御するための操作キーである。なお、照明装置は、例えば、洗浄槽３の前面開口部の近傍に配置されるＬＥＤなどで構成されている。温水設定キー２８は、洗浄槽３内の衣類の洗浄やすすぎに用いる水の温度を設定するための操作キーである。なお、水の加熱は、例えば、洗浄槽３内に設けられたヒータなどによって行うことができる。予約設定キー２９は、運転の予約に関する設定、例えば、運転を開始する時間の設定、運転を終了する時間の設定などを行うための操作キーである。コース選択キー３０は、表示器４０に表示する画面を、図示しないコース選択画面に遷移させるための操作キーである。スタートキー３１は、運転を開始するための操作キーである。
【００２７】
そして、自動投入設定キー３２は、図４に例示する自動投入設定画面１００を表示器４０に表示するための操作キーとなっている。使用者により自動投入設定キー３２が操作されると、制御装置５０は、表示器４０に自動投入設定画面１００を表示する。
【００２８】
次に、この自動投入設定画面１００の構成例について説明する。自動投入設定画面１００は、１つの画面１００内に、洗剤関連情報表示部１１０および柔軟剤関連情報表示部１２０を備えている。洗剤関連情報表示部１１０は、現在の洗剤に関する複数の情報を含む表示領域を構成し、柔軟剤関連情報表示部１２０は、現在の柔軟剤に関する複数の情報を含む表示領域を構成している。
【００２９】
この場合、洗剤関連情報表示部１１０は、基準投入量表示部１１１、および、複数の投入量調整ボタン１１２ａ，１１２ｂ，１１２ｃ，１１２ｄを備えている。基準投入量表示部１１１は、現在、設定されている洗剤の基準投入量を表示する表示領域を構成しており、この場合、現在の洗剤の基準投入量として「２０ｍｌ／３０Ｌ」が表示されている。複数の投入量調整ボタン１１２ａ，１１２ｂ，１１２ｃ，１１２ｄは、自動投入部１１によって洗浄槽３内に自動的に投入する洗剤の量を調整するためのボタンである。
【００３０】
具体的には、投入量調整ボタン１１２ａは、自動投入部１１により洗浄槽３内に自動投入する洗剤の量を「なし」つまり「０ｍｌ」に調整するためのボタンである。投入量調整ボタン１１２ｂは、自動投入部１１により洗浄槽３内に自動投入する洗剤の量を、その時点で設定されている洗剤の基準投入量よりも「少なめ」つまり所定量少ない量に調整するためのボタンである。なお、このときの所定量は、適宜変更して設定することができる。投入量調整ボタン１１２ｃは、自動投入部１１により洗浄槽３内に自動投入する洗剤の量を、その時点で設定されている洗剤の基準投入量に調整するためのボタンである。投入量調整ボタン１１２ｄは、自動投入部１１により洗浄槽３内に自動投入する洗剤の量を、その時点で設定されている洗剤の基準投入量よりも「多め」つまり所定量多い量に調整するためのボタンである。なお、このときの所定量は、適宜変更して設定することができる。
【００３１】
また、洗剤関連情報表示部１１０は、投入量告知部１１３を備えている。投入量告知部１１３は、複数の投入量調整ボタン１１２ａ，１１２ｂ，１１２ｃ，１１２ｄの操作に基づき調整された洗剤の自動投入量を使用者に告知するための表示部である。この場合、投入量告知部１１３には、使用者によって投入量調整ボタン１１２ｃが操作されたことに応じて、その時点で設定されている基準投入量の洗剤が洗浄槽３内に自動的に投入されることを表す例えば「標準量を投入します。」といった文字情報が表示されている。
【００３２】
柔軟剤関連情報表示部１２０は、基準投入量表示部１２１、および、複数の投入量調整ボタン１２２ａ，１２２ｂ，１２２ｃ，１２２ｄを備えている。基準投入量表示部１２１は、現在、設定されている柔軟剤の基準投入量を表示する表示領域を構成しており、この場合、現在の柔軟剤の基準投入量として「２０ｍｌ／３０Ｌ」が表示されている。複数の投入量調整ボタン１２２ａ，１２２ｂ，１２２ｃ，１２２ｄは、自動投入部１１によって洗浄槽３内に自動的に投入する柔軟剤の量を調整するためのボタンである。
【００３３】
具体的には、投入量調整ボタン１２２ａは、自動投入部１１により洗浄槽３内に自動投入する柔軟剤の量を「なし」つまり「０ｍｌ」に調整するためのボタンである。投入量調整ボタン１２２ｂは、自動投入部１１により洗浄槽３内に自動投入する柔軟剤の量を、その時点で設定されている柔軟剤の基準投入量よりも「少なめ」つまり所定量少ない量に調整するためのボタンである。なお、このときの所定量は、適宜変更して設定することができる。投入量調整ボタン１２２ｃは、自動投入部１１により洗浄槽３内に自動投入する柔軟剤の量を、その時点で設定されている柔軟剤の基準投入量に調整するためのボタンである。投入量調整ボタン１２２ｄは、自動投入部１１により洗浄槽３内に自動投入する柔軟剤の量を、その時点で設定されている柔軟剤の基準投入量よりも「多め」つまり所定量多い量に調整するためのボタンである。なお、このときの所定量は、適宜変更して設定することができる。
【００３４】
また、柔軟剤関連情報表示部１２０は、投入量告知部２１３を備えている。投入量告知部２１３は、複数の投入量調整ボタン１２２ａ，１２２ｂ，１２２ｃ，１２２ｄの操作に基づき調整された柔軟剤の自動投入量を使用者に告知するための表示部である。この場合、投入量告知部２１３には、使用者によって投入量調整ボタン１２２ｃが操作されたことに応じて、その時点で設定されている基準投入量の柔軟剤が洗浄槽３内に自動的に投入されることを表す例えば「標準量を投入します。」といった文字情報が表示されている。
【００３５】
また、自動投入設定画面１００には、「閉じる」ボタン１３０、「決定」ボタン１４０が設けられている。「閉じる」ボタン１３０は、自動投入設定画面１００を閉じて、トップ画面ＴＧに戻るための操作ボタンである。「決定」ボタン１４０は、自動投入設定画面１００における各種の設定項目、例えば、衣類処理剤の投入量に関する入力内容を決定するための操作ボタンである。
【００３６】
また、自動投入設定画面１００には、基準量設定ボタン１５０が設けられている。使用者により基準量設定ボタン１５０が操作されると、制御装置５０は、表示器４０に図６に例示する基準量設定画面２００を表示する。この基準量設定画面２００も、衣類処理剤に関する複数の情報を含む特別画面の一例である。次に、この基準量設定画面２００について説明する。
【００３７】
基準量設定画面２００は、洗剤基準投入量設定部２１０、柔軟剤基準投入量設定部２２０を備えている。洗剤基準投入量設定部２１０は、アップボタン２１１およびダウンボタン２１２を備えている。使用者は、アップボタン２１１を操作することにより、所定量、この場合、３０Ｌの水に対する洗剤の基準投入量を増加させることができる。また、使用者は、ダウンボタン２１２を操作することにより、所定量、この場合、３０Ｌの水に対する洗剤の基準投入量を減少させることができる。
【００３８】
柔軟剤基準投入量設定部２２０は、アップボタン２２１およびダウンボタン２２２を備えている。使用者は、アップボタン２２１を操作することにより、所定量、この場合、３０Ｌの水に対する柔軟剤の基準投入量を増加させることができる。また、使用者は、ダウンボタン２２２を操作することにより、所定量、この場合、３０Ｌの水に対する柔軟剤の基準投入量を減少させることができる。
【００３９】
また、基準量設定画面２００には、「閉じる」ボタン２３０、「決定」ボタン２４０が設けられている。「閉じる」ボタン２３０は、基準量設定画面２００を閉じて、自動投入設定画面１００に戻るための操作ボタンである。「決定」ボタン２４０は、基準量設定画面２００における各種の設定項目、例えば、衣類処理剤の基準投入量に関する入力内容を決定するための操作ボタンである。そして、「決定」ボタン２４０の操作に基づき決定された洗剤の基準投入量および柔軟剤の基準投入量は、それぞれ自動投入設定画面１００の基準投入量表示部１１１および基準投入量表示部１２１に表示される。
【００４０】
また、基準量設定画面２００には、設定説明表示部２５０が設けられている。設定説明表示部２５０は、衣類処理剤の基準投入量の設定方法に関する情報を使用者に提示するための表示部であり、この場合、基準投入量の設定方法の一例として「洗剤、柔軟剤の容器に記載の「水３０Ｌに対する使用量」を設定してください。」という文字情報が表示されている。
【００４１】
以上に説明した洗濯機１によれば、制御装置５０は、表示器４０に表示する１つの自動投入設定画面１００に、洗剤に関する複数の情報、この場合、洗剤の基準投入量や投入量の調整に関する情報を含ませている。また、制御装置５０は、表示器４０に表示する１つの自動投入設定画面１００に、柔軟剤に関する複数の情報、この場合、柔軟剤の基準投入量や投入量の調整に関する情報を含ませている。
【００４２】
この構成によれば、使用者は、１つの自動投入設定画面１００において、洗剤や柔軟剤に関する複数の情報を同時に容易に確認することができ、使い勝手の向上を図ることができる。
【００４３】
また、制御装置５０は、１つの自動投入設定画面１００に、洗剤および柔軟剤の現在の状況、この場合、その時点において設定されている基準投入量や、その時点における投入量の調整内容に関する情報を含ませている。よって、使用者は、１つの自動投入設定画面１００において、現在の洗剤や柔軟剤に関する情報を確認することができ、より正確な情報に基づいて投入量の調整などの対応を行うことができる。
【００４４】
また、制御装置５０は、１つの自動投入設定画面１００に、複数種類の衣類処理剤、この場合、洗剤および柔軟剤に関する情報を含ませている。また、制御装置５０は、１つの基準量設定画面２００に、複数種類の衣類処理剤、この場合、洗剤および柔軟剤に関する情報を含ませている。よって、使用者は、複数種類の衣類処理剤に関する情報を１つの画面において同時に確認することができ、使い勝手の一層の向上を図ることができる。
【００４５】
（第２実施形態）
図７に例示する自動投入設定画面３００は、上述した自動投入設定画面１００および基準量設定画面２００を組み合わせた画面となっている。即ち、自動投入設定画面３００は、１つの画面１００内に、洗剤関連情報表示部３１０および柔軟剤関連情報表示部３２０を備えている。
【００４６】
洗剤関連情報表示部３１０は、基準投入量表示部３１１、および、複数の投入量調整ボタン３１２ａ，３１２ｂ，３１２ｃ，３１２ｄを備えている。また、基準投入量表示部３１１の上部には、アップボタン３１１ａおよびダウンボタン３１１ｂが設けられている。使用者は、アップボタン３１１ａを操作することにより、所定量、この場合、３０Ｌの水に対する洗剤の基準投入量を増加させることができる。また、使用者は、ダウンボタン３１１ｂを操作することにより、所定量、この場合、３０Ｌの水に対する洗剤の基準投入量を減少させることができる。
【００４７】
また、洗剤関連情報表示部３１０は、洗剤関連情報説明表示部３１３を備えている。この洗剤関連情報説明表示部３１３には、洗剤に関する各種の情報、例えば、洗剤の基準投入量の設定例や投入量の調整例などを説明するための文字情報が表示される。
【００４８】
柔軟剤関連情報表示部３２０は、基準投入量表示部３２１、および、複数の投入量調整ボタン３２２ａ，３２２ｂ，３２２ｃ，３２２ｄを備えている。また、基準投入量表示部３２１の上部には、アップボタン３２１ａおよびダウンボタン３２１ｂが設けられている。使用者は、アップボタン３２１ａを操作することにより、所定量、この場合、３０Ｌの水に対する柔軟剤の基準投入量を増加させることができる。また、使用者は、ダウンボタン３２１ｂを操作することにより、所定量、この場合、３０Ｌの水に対する柔軟剤の基準投入量を減少させることができる。
【００４９】
また、柔軟剤関連情報表示部３２０は、柔軟剤関連情報説明表示部３２３を備えている。この柔軟剤関連情報説明表示部３２３には、柔軟剤に関する各種の情報、例えば、柔軟剤の基準投入量の設定例や投入量の調整例などを説明するための文字情報が表示される。
【００５０】
また、自動投入設定画面３００には、「閉じる」ボタン３３０、「決定」ボタン３４０が設けられている。「閉じる」ボタン３３０は、自動投入設定画面３００を閉じて、トップ画面ＴＧに戻るための操作ボタンである。「決定」ボタン３４０は、自動投入設定画面３００における各種の設定項目、例えば、衣類処理剤の投入量に関する入力内容を決定するための操作ボタンである。
【００５１】
この実施形態によっても、制御装置５０は、表示器４０に表示する１つの自動投入設定画面３００に、洗剤に関する複数の情報、この場合、洗剤の基準投入量や投入量の調整に関する情報を含ませている。また、制御装置５０は、表示器４０に表示する１つの自動投入設定画面３００に、柔軟剤に関する複数の情報、この場合、柔軟剤の基準投入量や投入量の調整に関する情報を含ませている。
【００５２】
よって、この構成によっても、使用者は、１つの自動投入設定画面３００において、洗剤や柔軟剤に関する複数の情報を同時に容易に確認することができ、使い勝手の向上を図ることができる。
【００５３】
また、使用者は、１つの自動投入設定画面３００において洗剤や柔軟剤の基準投入量を設定することができる。よって、洗剤や柔軟剤の基準投入量を設定するための別の画面に遷移する必要が無く、従って、一層使い勝手の良い洗濯機１を提供することができる。
【００５４】
（第３実施形態）
図８に例示するように、この実施形態では、制御装置５０は、基準投入量設定部５１により衣類処理剤の基準投入量が設定されていない場合、換言すれば、基準投入量設定画面２００を介して衣類処理剤の基準投入量が設定されていない場合には、投入量調整部５２による投入量の調整処理、換言すれば、自動投入設定画面１００を介した衣類処理剤の投入量の調整処理を実行不可とする。
【００５５】
即ち、制御装置５０は、例えば洗剤の基準投入量が設定されていない場合には、投入量調整ボタン１１２ｂ，１１２ｃ，１１２ｄを操作不能状態に切り換え、投入量調整ボタン１１２ａのみを操作可能な状態とする。これにより、使用者は、洗剤の自動投入量の調整を行うことができなくなる。また、制御装置５０は、投入量告知部１１３に、洗剤の自動投入が行われないことを表す例えば「自動投入されません。」といった文字情報を表示する。
【００５６】
また、制御装置５０は、例えば柔軟剤の基準投入量が設定されていない場合には、投入量調整ボタン１２２ｂ，１２２ｃ，１２２ｄを操作不能状態に切り換え、投入量調整ボタン１２２ａのみを操作可能な状態とする。これにより、使用者は、柔軟剤の自動投入量の調整を行うことができなくなる。また、制御装置５０は、投入量告知部２１３に、柔軟剤の自動投入が行われないことを表す例えば「自動投入されません。」といった文字情報を表示する。
【００５７】
また、自動投入設定画面１００には、洗剤用注意喚起部１７０および柔軟剤用注意喚起部１８０が設けられている。制御装置５０は、投入量調整ボタン１１２ｂ，１１２ｃ，１１２ｄを操作不能状態に切り換えた場合には、洗剤用注意喚起部１７０に、例えば「洗剤の基準投入量を設定してください。」といった文字情報を表示する。また、制御装置５０は、投入量調整ボタン１２２ｂ，１２２ｃ，１２２ｄを操作不能状態に切り換えた場合には、柔軟剤用注意喚起部１８０に、例えば「柔軟剤の基準投入量を設定してください。」といった文字情報を表示するようにしてもよい。
【００５８】
なお、制御装置５０は、使用者により基準量設定ボタン１５０が操作されて基準量設定画面２００を介して洗剤の基準投入量が設定されると、再び自動投入設定画面１００に復帰した際に、投入量調整ボタン１１２ｂ，１１２ｃ，１１２ｄを操作可能状態に切り換える。これにより、使用者は、洗剤の投入量の調整を行うことができるようになる。
【００５９】
また、制御装置５０は、使用者により基準量設定ボタン１５０が操作されて基準量設定画面２００を介して柔軟剤の基準投入量が設定されると、再び自動投入設定画面１００に復帰した際に、投入量調整ボタン１２２ｂ，１２２ｃ，１２２ｄを操作可能状態に切り換える。これにより、使用者は、柔軟剤の投入量の調整を行うことができるようになる。
【００６０】
この実施形態によれば、衣類処理剤の基準投入量が設定されていない場合には、その投入量の調整を不能な状態とすることにより、使用者に、基準投入量の設定を促すことができる。これにより、基準投入量が設定されない状態で洗浄槽３内に衣類処理剤が投入されてしまうことを回避することができ、洗浄槽３内に投入される衣類処理剤の量が不適切な量になること、例えば、多すぎたり少なすぎたりしてしまうことを抑制することができる。
【００６１】
なお、制御装置５０は、投入量調整ボタン１１２ｂ，１１２ｃ，１１２ｄを操作不能状態に切り換えた場合、あるいは、投入量調整ボタン１２２ｂ，１２２ｃ，１２２ｄを操作不能状態に切り換えた場合には、基準量設定ボタン１５０の表示態様を、例えば、発光させる、大きくする、形状を変えるなどとすることにより、通常の表示態様と異ならせるようにしてもよい。
【００６２】
（第４実施形態）
図９に例示するように、制御装置５０は、制御プログラムを実行することにより、さらに、投入量記憶部５３をソフトウェアにより仮想的に実現する。なお、投入量記憶部５３は、ハードウェアにより実現してもよいし、ソフトウェアとハードウェアの組み合わせにより実現してもよい。
【００６３】
投入量記憶部５３は、投入量調整部５２により調整された衣類処理剤の投入量、換言すれば、自動投入設定画面１００を介して調整された衣類処理剤の投入量を記憶部５４に記憶する記憶処理を実行可能である。記憶部５４は、例えば、不揮発性のメモリなどの記憶媒体により構成されている。
【００６４】
図１０に例示するように、この場合、自動投入設定画面１００には、記憶ボタン１６０が設けられている。制御装置５０は、この記憶ボタン１６０の操作状況に応じて、投入量記憶部５３による投入量の記憶処理を実行する記憶処理実行モードと、当該記憶処理を実行しない記憶処理不実行モードと、を選択可能に構成されている。即ち、制御装置５０は、使用者により記憶ボタン１６０が操作されると、投入量記憶部５３による記憶処理を実行する。また、制御装置５０は、使用者により記憶ボタン１６０がもう１度操作されると、投入量記憶部５３による記憶処理を実行しないように構成されている。
【００６５】
この実施形態によれば、調整された衣類処理剤の投入量を記憶することができる。そのため、記憶された衣類処理剤の投入量を、例えば、次回以降の運転に反映させることができる。よって、使用者は、運転の都度、衣類処理剤の投入量を調整する必要が無く、従って、一層使い勝手の良い洗濯機１を提供することができる。
【００６６】
また、この実施形態によれば、調整された衣類処理剤の投入量を記憶するモードと、記憶しないモードとを、使用者による記憶ボタン１６０の操作状況に基づき選択することが可能である。そのため、使用者が調整後の投入量の記憶を希望している場合にその記憶処理を行うようにすることができ、使用者の意思に反して記憶処理が行われてしまうことを回避することができる。
【００６７】
なお、記憶処理実行モードと記憶処理不実行モードとの切り換えは、例えば、投入量調整ボタン１１２ａ，１１２ｂ，１１２ｃ，１１２ｄおよび投入量調整ボタン１２２ａ，１２２ｂ，１２２ｃ，１２２ｄの何れかのボタンが所定の態様で操作されたことに応じて行うようにしてもよい。ここで、所定の態様の操作として、例えば、ボタンを所定時間押し続ける操作、いわゆる長押し操作や、所定時間内にボタンを所定回数連続して押す操作、いわゆる連続操作などを適用することができる。
【００６８】
（第５実施形態）
図１１に例示するように、この実施形態では、洗濯機１は、さらに泡センサ６０を備えている。泡センサ６０は、泡検知部の一例であり、洗浄槽３内に発生する泡を検知する。泡センサ６０は、例えば、泡の発生に伴う洗浄槽３内の圧力の変動を検知する圧力センサ、洗浄槽３内の水の温度が泡の発生しやすい温度帯であるか否かを検知するための水温センサ、洗濯機１の周辺温度が泡の発生しやすい温度帯であるか否かを検知するための外気温センサ、洗浄槽３内の水の濁り度を検知する濁りセンサ、泡の発生に伴うドラムの回転速度の変動を検知する回転センサ、洗浄槽３内に投入されている衣類処理剤の量をそのにおいに基づき検知するにおいセンサ、洗浄槽３内の水の導電度を検知する導電センサなど、泡の発生に伴い変動する各種の物性などを検知するものであれば、種々のセンサ類を適用することができる。
【００６９】
制御装置５０は、運転中において泡センサ６０により泡の発生を検知すると、その検知回数を記憶部５４に記憶する。そして、制御装置５０は、記憶部５４に記憶されている泡の検知回数に基づいて、その時点で設定されている衣類処理剤の基準投入量が多すぎるか否かを判定する。即ち、制御装置５０は、記憶部５４に記憶されている泡の検知回数が所定の基準回数よりも多い場合には、設定されている衣類処理剤の基準投入量が多すぎると判定する。
【００７０】
そして、図１２に例示するように、制御装置５０は、設定されている洗剤の基準投入量が多すぎると判定した場合には、洗剤用注意喚起部１７０に、例えば、「洗剤の基準投入量が多すぎます。」といった文字情報を表示する。この文字情報は、洗浄槽３内に投入する洗剤の基準投入量を変更することを使用者に促す情報の一例であり、基準投入量が多すぎることを示すことにより、洗剤の基準投入量を変更することを間接的に促す情報となっている。なお、制御装置５０は、例えば「洗剤の基準投入量を変更してください。」といった文字情報、即ち、洗剤の基準投入量を変更することを直接的に促す情報を出力するようにしてもよい。
【００７１】
また、制御装置５０は、設定されている柔軟剤の基準投入量が多すぎると判定した場合には、柔軟剤用注意喚起部１８０に、例えば、「柔軟剤の基準投入量が多すぎます。」といった文字情報を表示する。この文字情報は、洗浄槽３内に投入する柔軟剤の基準投入量を変更することを使用者に促す情報の一例であり、基準投入量が多すぎることを示すことにより、柔軟剤の基準投入量を変更することを間接的に促す情報となっている。なお、制御装置５０は、例えば「柔軟剤の基準投入量を変更してください。」といった文字情報、即ち、柔軟剤の基準投入量を変更することを直接的に促す情報を出力するようにしてもよい。
【００７２】
この実施形態によれば、過去の運転における泡の発生履歴に基づいて、衣類処理剤の基準投入量をより適切な量に調整することを使用者に促すことができる。よって、より適切な衣類処理剤の投入量で運転を行うことを支援することができ、より使い勝手の良い洗濯機１を提供することができる。
【００７３】
なお、制御装置５０は、例えば、洗浄槽３内の衣類を洗う洗い行程における泡の検知回数が所定の基準回数よりも多くなったことに基づき、複数種類の衣類処理剤のうち洗剤の基準投入量が多すぎることを判定することができる。また、制御装置５０は、例えば、洗浄槽３内の衣類をすすぐすすぎ行程における泡の検知回数が所定の基準回数よりも多くなったことに基づき、複数種類の衣類処理剤のうち柔軟剤の基準投入量が多すぎることを判定することができる。
【００７４】
（第６実施形態）
図１３に例示するように、この実施形態では、制御装置５０は、複数種類の衣類処理剤のうち少なくとも何れか１つの衣類処理剤の投入量が変更された場合には、他の衣類処理剤の投入量を変更することを促す情報を自動投入設定画面１００に表示する。この場合、制御装置５０は、柔軟剤の投入量が変更されたことから、洗剤の投入量を変更することを促す情報、例えば、「柔軟剤の投入量が変更されたので、洗剤の投入量も変更してください。」という文字情報を投入量告知部１１３に表示している。
【００７５】
この実施形態によれば、複数種類の衣類処理剤のうち少なくとも何れか１つの投入量が変更された場合に、その変更に応じて他の衣類処理剤の投入量の変更を促すようにしたので、複数種類の衣類処理剤の投入量のバランスを相互に適切なバランスで維持することができる。即ち、複数種類の衣類処理剤のうち何れかの投入量が多すぎたり少なすぎたりする状態で運転が行われてしまうことを回避することができ、より使い勝手の良い洗濯機１を提供することができる。
【００７６】
（第７実施形態）
図１４，図１５に例示するように、この実施形態では、制御装置５０は、衣類処理剤の投入量の組み合わせが特定の組み合わせである場合には、他の衣類処理剤の投入量を変更すること、もしくは、運転内容を変更することを促す情報を自動投入設定画面１００に表示する。具体的には、制御装置５０は、洗剤の投入量として「多め」が選択され、かつ、柔軟剤の投入量として「少なめ」が選択されている場合には、図１４に例示するように、洗剤と柔軟剤との投入量のバランスの改善を促す情報、例えば、「洗剤の投入量が柔軟剤の投入量に対して、多いです。」といった文字情報を投入量告知部１１３に表示する。また、制御装置５０は、図１５に例示するように、「柔軟剤の投入量が洗剤の投入量に対して少ないです。」という文字情報を投入量告知部２１３に表示する。また、制御装置５０は、図１６に例示するように、すすぎ回数を増やすことを促す情報、例えば、「洗剤を十分に洗い流すためにすすぎ回数を増やしてください。」という文字情報を投入量告知部１１３に表示してもよい。
【００７７】
洗剤の投入量として「多め」が選択され、かつ、柔軟剤の投入量として「少なめ」が選択されている場合の運転では、最終すすぎの開始時点であっても衣類に洗剤が残留していることが懸念される。衣類に洗剤が残留した状態では、柔軟剤が衣類へ働きかける力が弱められてしまい、ユーザが期待する効果を発揮できない可能性がある。また、柔軟剤の投入量が少ない場合には、柔軟剤の効果を十分に発揮できない可能性が高くなる。そこで、洗剤の投入量として「多め」が選択され、かつ、柔軟剤の投入量として「少なめ」が選択されている場合において、例えば上述したように、洗剤および柔軟剤の投入量のバランスの改善を促す情報、運転内容の変更を促す情報、衣類に残留する洗剤を十分にすすぐためにすすぎ回数を増やすことを促す情報を表示することで、この情報に応じて洗剤や柔軟剤の投入量やすすぎ回数などを調整することができ、柔軟剤が衣類に対して十分に効果を発揮できるようにできる。
【００７８】
以上の通り、この実施形態によれば、衣類処理剤の投入量の組み合わせが特定の組み合わせである場合において、衣類処理剤の投入量の変更や運転内容の変更を促すことで、衣類処理剤が衣類に対して十分に効果を発揮するようにできる。なお、特定の組み合わせは、上述した洗剤が「多め」かつ柔軟剤が「少なめ」の組み合わせに限定されるものではなく、運転後の衣類の仕上がりに悪影響を及ぼすことが懸念される組み合わせであれば、種々の組み合わせを適用することができる。
【００７９】
（その他の実施形態）
なお、本実施形態は、上述した複数の実施形態に限定されるものではなく、その要旨を逸脱しない範囲で種々の変更や拡張を行うことができる。例えば、上述した複数の実施形態を適宜組み合わせて実施することができる。また、洗濯機１は、例えばスピーカなどの音声出力装置を備え、各種の画面に表示する情報とともに、当該情報を音声により出力するようにしてもよい。
【００８０】
また、図１７に例示するように、制御装置５０は、洗剤の自動投入が好ましくない運転、例えば、傷みやすい衣類を洗浄する「おしゃれ着コース」などを実行する場合には、洗剤タンク１５内に収容されている通常の洗剤を使用することが好ましくないこと、専用の洗剤を手動投入用ケースの手動洗剤投入部に投入すること、などを使用者に伝達する情報を自動投入設定画面１００に表示するようにしてもよい。
【００８１】
また、図１８に例示するように、制御装置５０は、洗剤タンク１５内の洗剤の残量、柔軟剤タンク１６内の柔軟剤の残量を自動投入設定画面１００に表示するようにしてもよい。なお、洗剤タンク１５内の洗剤の残量は、例えば、洗剤タンク１５の内部に磁石を有したフロートを設け、洗剤タンク１５の外部にフロートからの磁気を検知するリードスイッチを設け、リードスイッチによってフロートの高さ位置を検知することに基づき特定することができる。また、柔軟剤タンク１６内の柔軟剤の残量は、例えば、柔軟剤タンク１６の内部に磁石を有したフロートを設け、柔軟剤タンク１６の外部にフロートからの磁気を検知するリードスイッチを設け、リードスイッチによってフロートの高さ位置を検知することに基づき特定することができる。なお、衣類処理剤の残量は、衣類処理剤に関する情報の一例でもあり、衣類処理剤の現在の状況を示す情報の一例でもある。
【００８２】
また、タンクは、洗剤を貯留する洗剤タンク１５や柔軟剤タンク１６に限られるものではなく、例えば、消臭剤を貯留する消臭剤タンク、除菌剤を貯留する除菌剤タンクなど、衣類に何らかの処理を施す種々の処理剤を貯留するタンクであれば種々の種類のタンクを適宜採用することができる。また、給水部４に備えられる複数のタンクは、同じ種類の処理剤を貯留するタンクであってもよいし、異なる種類の処理剤を貯留するタンクであってもよい。また、洗濯機１は、給水部４に１つのタンクを備える構成としてもよい。また、洗剤計量ポンプ１７および柔軟剤計量ポンプ１８は、液体を吸引するものに限られず、例えば、液体を押し出すものであってもよい。
【００８３】
また、本実施形態は、回転槽の回転中心軸が鉛直方向に延びる、いわゆる縦軸型の洗濯機にも適用することができる。また、本実施形態は、乾燥機能を有する洗濯機にも適用することができる。また、本実施形態は、乾燥機能を有しない洗濯機にも適用することができる。また、本実施形態は、例えば、衣類の消臭、脱臭、除菌など、衣類に対して何らかの処理を施す装置であれば、種々の衣類処理装置に適用することができる。
【００８４】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
図面中、１は洗濯機（衣類処理装置）、３は洗浄槽（衣類処理槽）、１１は自動投入部、４０は表示器（表示部）、５０は制御装置（制御部）、５１は基準投入量設定部、５２は投入量調整部、５３は投入量記憶部、６０は泡センサ（泡検知部）を示す。
【図１】
2020179154.tif 000003
【図２】
2020179154.tif 000004
【図３】
2020179154.tif 000005
【図４】
2020179154.tif 000006
【図５】
2020179154.tif 000007
【図６】
2020179154.tif 000008
【図７】
2020179154.tif 000009
【図８】
2020179154.tif 000010
【図９】
2020179154.tif 000011
【図１０】
2020179154.tif 000012
【図１１】
2020179154.tif 000013
【図１２】
2020179154.tif 000014
【図１３】
2020179154.tif 000015
【図１４】
2020179154.tif 000016
【図１５】
2020179154.tif 000017
【図１６】
2020179154.tif 000018
【図１７】
2020179154.tif 000019
【図１８】
2020179154.tif 000020